(57)【要約】【課題】トリミング処理を行う前後の画像のサイズを容易に確認することができる画像処理装置を提供する。【解決手段】画像処理装置１０は、表示装置１７と、表示装置１７に表示された画面上で当該画像のトリミング処理範囲を指定する入力装置１６と、画像のトリミング処理のプログラムを格納するＲＯＭ１３と、画像のトリミング処理を行うＣＰＵ１２と、画像データを一時的に格納するＲＡＭ１４と、画像データを記憶する記憶装置１５と、トリミング枠を指定するためのスタイラス２３等を有する。画像処理装置１０は、トリミング処理範囲選択処理を実行してトリミング処理範囲を選択し、トリミング結果プレビューを実行してトリミング結果をプレビューすると共に、画像のトリミング処理を実行してトリミング処理が実行された画像を表示装置１７の画面全体に表示し、再び表示情報の切替え処理を行う。【選択図】    図３
2004163735.tif 000002
【特許請求の範囲】
【請求項１】
画面上に画像を表示する表示装置と、前記表示された画像上で当該画像のトリミング処理範囲を指定する指定手段と、前記指定されたトリミング処理範囲に基づいて前記表示された画像のトリミング処理を行うトリミング手段とを有する画像処理装置において、前記指定されたトリミング処理範囲と前記表示された画像の各サイズを前記表示装置に表示させる表示手段を有することを特徴とする画像処理装置。
【請求項２】
前記表示手段を複数備えることを特徴とする請求項１に記載の画像処理装置。
【請求項３】
前記複数の表示手段を切替える切替手段を有することを特徴とする請求項２に記載の画像処理装置。
【請求項４】
前記指定手段は、前記画面上で前記トリミング処理範囲のサイズを指定することを特徴とする請求項１乃至３のいずれか１項に記載の画像処理装置。
【請求項５】
前記指定手段は、前記トリミング処理範囲のサイズを数値で指定することを特徴とする請求項１乃至３のいずれか１項に記載の画像処理装置。
【請求項６】
前記表示装置は、前記トリミング処理された画像を前記表示装置の画面全体に表示することを特徴とする請求項１乃至５のいずれか１項に記載の画像処理装置。
【請求項７】
画面上に画像を表示する表示装置に表示された画像上で当該画像のトリミング処理範囲を指定する指定ステップと、前記指定されたトリミング処理範囲に基づいて前記表示された画像のトリミング処理を行うトリミングステップとを有する画像処理方法において、前記指定されたトリミング処理範囲と前記表示された画像の各サイズを前記表示装置に表示させる表示ステップを有することを特徴とする画像処理方法。
【請求項８】
画面上に画像を表示する表示装置に表示された画像上で当該画像のトリミング処理範囲を指定する指定ステップと、前記指定されたトリミング処理範囲に基づいて前記表示された画像のトリミング処理を行うトリミングステップと、前記指定されたトリミング処理範囲と前記表示された画像の各サイズを前記表示装置に表示させる表示ステップとをコンピュータに実行させることを特徴とする画像処理プログラム。
【請求項９】
画像処理プログラムが格納されたコンピュータ読取り可能な記憶媒体であって、前記画像処理プログラムは、画面上に画像を表示する表示装置に表示された画像上で当該画像のトリミング処理範囲を指定する指定ステップと、前記指定されたトリミング処理範囲に基づいて前記表示された画像のトリミング処理を行うトリミングステップと、前記指定されたトリミング処理範囲と前記表示された画像の各サイズを前記表示装置に表示させる表示ステップとをコンピュータに実行させることを特徴とする記憶媒体。
【発明の詳細な説明】
【０００１】
【発明の属する技術分野】
本発明は、画像処理装置及び方法、並びに画像処理プログラム及び記憶媒体に関し、特に画像のトリミング処理を行う画像処理装置及び方法、並びに画像処理プログラム及び記憶媒体に関する。
【０００２】
【従来の技術】
従来の画像処理装置は、画像を編集するために画像のトリミング処理を行うことによりトリミング画像を取得する（例えば、特許文献１参照）。
【０００３】
【特許文献１】
特開平１１−１６８６１９号公報
【０００４】
【発明が解決しようとする課題】
しかしながら、従来の画像処理装置においては、トリミング処理を行う範囲がユーザーの感覚に左右されるため所望のサイズのトリミング画像を得るのが難しく、トリミング処理を行う前に画像のサイズを事前に確認する必要がある。また、トリミング処理を行った後の画像のサイズを具体的に確認するのが困難である。
【０００５】
本発明の目的は、トリミング処理を行う前後の画像のサイズを容易に確認することができる画像処理装置を提供することにある。
【０００６】
【課題を解決するための手段】
上述の目的を達成するために、本発明の画像処理装置は、画面上に画像を表示する表示装置と、前記表示された画像上で当該画像のトリミング処理範囲を指定する指定手段と、前記指定されたトリミング処理範囲に基づいて前記表示された画像のトリミング処理を行うトリミング手段とを有する画像処理装置において、前記指定されたトリミング処理範囲と前記表示された画像の各サイズを前記表示装置に表示させる表示手段を有することを特徴とする。
【０００７】
上述の目的を達成するために、本発明の画像処理方法は、画面上に画像を表示する表示装置に表示された画像上で当該画像のトリミング処理範囲を指定する指定ステップと、前記指定されたトリミング処理範囲に基づいて前記表示された画像のトリミング処理を行うトリミングステップとを有する画像処理方法において、前記指定されたトリミング処理範囲と前記表示された画像の各サイズを前記表示装置に表示させる表示ステップを有することを特徴とする。
【０００８】
上述の目的を達成するために、本発明の画像処理プログラムは、画面上に画像を表示する表示装置に表示された画像上で当該画像のトリミング処理範囲を指定する指定ステップと、前記指定されたトリミング処理範囲に基づいて前記表示された画像のトリミング処理を行うトリミングステップと、前記指定されたトリミング処理範囲と前記表示された画像の各サイズを前記表示装置に表示させる表示ステップとをコンピュータに実行させることを特徴とする。
【０００９】
上述の目的を達成するために、本発明の記憶媒体は、画像処理プログラムが格納されたコンピュータ読取り可能な記憶媒体であって、前記画像処理プログラムは、画面上に画像を表示する表示装置に表示された画像上で当該画像のトリミング処理範囲を指定する指定ステップと、前記指定されたトリミング処理範囲に基づいて前記表示された画像のトリミング処理を行うトリミングステップと、前記指定されたトリミング処理範囲と前記表示された画像の各サイズを前記表示装置に表示させる表示ステップとをコンピュータに実行させることを特徴とする。
【００１０】
【発明の実施の形態】
以下、本発明の実施の形態に係る画像処理装置を、図面を参照しながら説明する。
【００１１】
図１は、本発明の実施の形態に係る画像処理装置の内部構成を示すブロック図である。
【００１２】
図１において、本発明の実施の形態に係る画像処理装置１０は、画面上に画像を表示するＬＣＤ等の表示装置１７と、表示装置１７に表示された画面上で当該画像のトリミング処理範囲を指定すると共にキー入力を行う入力装置１６と、画像のトリミング処理のプログラムを格納するＲＯＭ１３と、画像のトリミング処理や本装置全体の制御等を行うＣＰＵ１２と、画像データを一時的に格納するＲＡＭ１４と、画像データを記憶する記憶装置１５とを備え、これらは、システムバス１１を介して互いに接続される。
【００１３】
図２は、図１の画像処理装置１０の外観図である。
【００１４】
図２において、画像処理装置１０は、その前面に表示装置１７を備え、表示装置１７の下側に、トリミング処理枠を移動するための十字キー２４と、トリミング処理範囲の決定を指示するＳＥＴキー２５と、画像サイズ表示を切替えるための表示切替キー２６と、トリミング処理範囲のサイズを指定するためのサイズ指定キー２７とを備える。さらに、画像処理装置１０は、表示装置１７の画面上の画像にトリミング処理枠を指定するためのスタイラス２３を有する。このスタイラス２３のペンダウンにより、表示装置１７の画面上にカーソル２２が表示される。
【００１５】
以下、図１の画像処理装置１０によって実行されるトリミング処理を、図３を用いて説明する。
【００１６】
図３は、図１の画像処理装置１０によって実行されるトリミング処理を示すフローチャートである。
【００１７】
図３において、画像処理装置１０に備えられた不図示のボタンを押すことによりメニューが表示され、そのメニューの中からユーザーがトリミングのメニューをスタイラス２３で選択することによりトリミング処理開始を指定すると、まずトリミング処理実行済みフラグをＯＦＦにし（ステップＳ５０１）、後述する図４の表示情報切替え処理を実行して、表示情報を切替える（ステップＳ５０２）。
【００１８】
次いで、後述する図９のトリミング処理範囲選択処理を実行してトリミング処理範囲を選択し（ステップＳ５０３）、後述する図１４のトリミング結果プレビューを実行してトリミング結果をプレビューする（ステップＳ５０４）。
【００１９】
さらに、キー入力が行われると（ステップＳ５０５でＹＥＳ）、ＳＥＴキー２５が押下されるまでは（ステップＳ５０６でＮＯ）、ステップＳ５０１以降の処理を繰り返し、ＳＥＴキー２５が押下されると（ステップＳ５０６でＹＥＳ）、画像のトリミング処理を実行して（ステップＳ５０７）、トリミング処理が実行された画像を表示装置１７の画面全体に表示することによりトリミング結果を表示し（ステップＳ５０８）、再び表示情報の切替え処理を行って（ステップＳ５０９）、本処理を終了する。
【００２０】
図３の処理によれば、トリミング処理を行う前にトリミング結果をプレビューする（ステップＳ５０４）ので、トリミング処理を行う前にトリミング処理が実行された画像のサイズを容易に確認することができる。
【００２１】
図４は、図３のステップＳ５０２で実行される表示切替え処理を示すフローチャートである。
【００２２】
図４において、表示装置１７の表示情報の現在の設定を記憶装置１５からＲＡＭ１４上に読出し（ステップＳ６０１）、後述する図５の表示更新処理を行って表示装置１７の表示を現在の設定に合わせる（ステップＳ６０２）。
【００２３】
続くステップＳ６０３及びステップＳ６０４で、スタイラス２３によりペンダウンが行われたか否か、及びサイズ指定キー２７が押下されたか否かを判別し、ペンダウンが行われておらず、しかもサイズ指定キー２７が押下されていないときは、表示切替えキー２６が押下されたか否かを判別し（ステップＳ６０５）、表示切替えキー２６が押下されたときは、後述する図７の設定変更処理を行って表示情報の設定を変更し（ステップＳ６０６）、次いで、後述する図５の表示更新処理を行って表示装置１７の表示を変更した設定に合わせ（ステップＳ６０７）、ステップＳ６０３に戻る。ステップＳ６０３及びステップＳ６０４で、ペンダウンが行われるか、又はサイズ指定キー２７が押下されたときは、そのまま本処理を終了する。
【００２４】
図４の処理によれば、現在の設定を記憶装置から読出して（ステップＳ６０１）、表示更新処理を行い（ステップＳ６０２）、表示切替キーが押下されたときに（ステップＳ６０５でＹＥＳ）、設定変更処理を行って表示情報の設定を変更し、再度表示更新処理を行う。
【００２５】
図５は、図４のステップＳ６０２及びステップＳ６０７で実行される表示更新処理のフローチャートである。
【００２６】
図５において、まず、ＲＡＭ１４上に格納されてる画像データを表示装置１７上に再び表示し（ステップＳ７０１）、トリミング処理が実行されたか否かを判別し（ステップＳ７０２）、トリミング処理が実行されていないときは、トリミング処理範囲が指定されているか否かを判別する（ステップＳ７０３）。ステップＳ７０３の判別の結果、トリミング処理範囲が指定されているときは、現在のトリミング処理枠を表示装置上に表示し（ステップＳ７０５）、トリミング処理範囲が指定されていないときは、トリミング処理範囲サイズを０×０としてトリミング処理枠を表示せず（ステップＳ７０６）、ステップＳ７０７に進む。
【００２７】
ステップＳ７０２の判別の結果、トリミング処理実行後であるときは、トリミング処理範囲サイズを現在表示中画像のサイズとして（ステップＳ７０４）、ステップＳ７０７に進む。
【００２８】
続くステップＳ７０７では、表示中の画像の倍率表示設定をＲＡＭ１４から読出し、画像の倍率表示設定がＯＮであるか否かを判別し、倍率表示設定がＯＮのときは、倍率を表示装置１７上に図６に示すように表示した（ステップＳ７０８）後、一方、倍率表示設定がＯＮでないときは（ステップＳ７０７でＮＯ）、倍率を表示せずに、ステップＳ７０９に進む。
【００２９】
ここで、倍率とは現在表示装置１７上に表示している画像サイズに対するトリミング処理を行う前の画像サイズの倍率であり、トリミング処理を行う前の画像サイズは記憶装置１５に記憶された元の画像サイズである。
【００３０】
続くステップＳ７０９では、元画像のサイズ表示設定をＲＡＭ１４から読出し、元画像のサイズ表示設定がＯＮであるか否かを判別し、元画像サイズ表示設定がＯＮのときは、元画像サイズを表示装置１７上に図６のように表示した（ステップＳ７１０）後、一方、元画像サイズ表示設定がＯＮでないときは、元画像サイズを表示せずステップＳ７１１に進む。
【００３１】
続くステップＳ７１１では、トリミング処理範囲のサイズ表示設定をＲＡＭ１４から読出し、トリミング処理範囲のサイズ表示設定がＯＮであるか否かを判別し、トリミング処理範囲のサイズ表示設定がＯＮのときは、トリミング処理範囲サイズを表示装置１７上に図６のように表示した（ステップＳ７１２）後、一方、トリミング処理範囲サイズ表示設定がＯＮでないときは、トリミング処理範囲サイズを表示せず、本処理を終了する。
【００３２】
図５の処理によれば、画像の倍率表示の有無を選択し（ステップＳ７０７）、元画像のサイズ表示の有無を選択し（ステップＳ７０９）、トリミング処理範囲のサイズ表示の有無を選択する（ステップＳ７１１）ことにより、図６の画面上で、倍率、及び画像サイズの表示情報を取得することができる。
【００３３】
図６の画面は、スタイラス２３の現在位置を示すカーソル３２と、トリミング処理範囲を示すトリミング処理枠３１と、倍率を画像倍率表示３５に、元画像サイズを元画像サイズ表示領域３３に、トリミング処理範囲サイズをトリミング処理範囲サイズ領域３４に夫々表示する。
【００３４】
図７は、図４のステップＳ６０６で実行される設定変更処理を示すフローチャートである。
【００３５】
図７において、まず、現在の設定をＲＡＭ１４から読み込み、後述する図８の設定値が表示切替えテーブルの最後であるか否かを判別する（ステップＳ９０１）。
【００３６】
図８は、図７のステップＳ９０１で用いられる表示切替えテーブルである。
【００３７】
図８において、第１行８１は表示装置上に表示は一切せず、第２行８２は倍率表示のみを表示し、第３行８３は表示画像の倍率と、元画像サイズを表示し、第４行８４は表示画像の倍率と、元画像サイズと、トリミング処理範囲サイズを表示し、第５行８５は、表示画像の倍率と、トリミング処理範囲サイズを表示し、第６行８６は表示画像のトリミング処理範囲サイズのみを表示する。
【００３８】
ステップＳ９０１の判別の結果、設定値が表示切替えテーブルの最後でないときは、表示切替えテーブルの次の表示設定に変更し（ステップＳ９０２）、一方、設定値が表示切替えテーブルの最後であるときは、表示切替えテーブルの先頭の表示設定に変更し（ステップＳ９０３）、変更した表示設定をＲＡＭ１４と記憶装置１５に記憶した（ステップＳ９０４）後、本処理を終了する。
【００３９】
図７の処理によれば、設定値が表示切替えテーブルの最後でないときは、表示切替えテーブルの次の表示設定に変更し（ステップＳ９０２）、一方、設定値が表示切替えテーブルの最後であるときは、表示切替えテーブルの先頭の表示設定に変更する（ステップＳ９０３）。
【００４０】
図９は、図３のステップＳ５０３で実行されるトリミング処理範囲選択処理を示すフローチャートである。
【００４１】
図９において、まず、ペンダウンが行われたか否かを判別し（ステップＳ１００１）、スタイラス２３によってペンダウンが行われていないときは、後述する図１０に示すトリミング処理範囲のサイズ入力のためのダイアログを表示し（ステップＳ１００３）、このダイアログ上のラインエディタにトリミング処理範囲のサイズを入力する（ステップＳ１００４）。
【００４２】
図１０は、トリミング処理範囲のサイズを入力するダイアログを示す図であり、トリミング処理を行う画像の横のサイズを入力するラインエディタ１３０１と、縦のサイズを入力するラインエディタ１３０２と、入力したサイズを決定するＯＫボタン１３０３を有している。
【００４３】
ステップＳ１００４でトリミング処理範囲のサイズを入力した後、ＯＫボタン１３０２が押されると（ステップＳ１００５でＹＥＳ）、ダイアログを消去し（ステップＳ１００６）、ダイアログで入力されたトリミング処理範囲をトリミング処理枠としてＲＡＭ１４上に記憶し、図１１に示す画面上でトリミング処理範囲サイズ１１０１、及びトリミング処理枠１１０２を表示し、さらに、後述する図１２のトリミング処理枠移動及び決定処理を行い（ステップＳ１００７）、本処理を終了する。
【００４４】
ステップＳ１００１の判別の結果、スタイラス２３によってペンダウンが行われているときは、後述する図１３のスタイラスによる範囲選択処理を行い（ステップＳ１００２）、本処理を終了する。
【００４５】
図９の処理によれば、トリミング処理範囲選択処理を行うときは、ダイアログ上のラインエディタにトリミング処理範囲のサイズを入力し（ステップＳ１００４）、トリミング処理枠としてＲＡＭ１４上に記憶し、表示装置１７の画面上に表示する。
【００４６】
図１２は、図９のステップＳ１００７で実行されるトリミング処理枠移動及び決定処理を示すフローチャートである。
【００４７】
図１２において、まず、図１０のラインエディタ１３０１及び１３０２に入力されたサイズをＲＡＭ１４から読み込み、そのサイズに合わせたトリミング処理枠を表示し（ステップＳ１５０１）、画像の表示更新処理を行う（ステップＳ１５０２）。キー入力されると（ステップＳ１５０３でＹＥＳ）、続くステップＳ１５０４で、前記キー入力が十字キー２４であるか否かを判別し、前記キー入力が十字キー２４であるときは、入力された方向にトリミング処理枠を移動して（ステップＳ１５０５）ステップＳ１５０２に戻り、一方、キー入力が十字キー２４でないときは、続くステップＳ１５０６で、前記キー入力がＳＥＴキー２５であるか否かを判別し、前記キー入力がＳＥＴキー２５でないときは、ステップＳ１５０３に戻り、一方、前記キー入力がＳＥＴキー２５であるときは、再度画像の表示更新処理を行い（ステップＳ１５０７）、現在表示しているトリミング処理枠をトリミング処理範囲としてＲＡＭ１４に格納し（ステップＳ１５０８）、本処理を終了する。
【００４８】
図１２の処理によれば、ラインエディタによるトリミング処理範囲選択を行うときは、入力されたサイズをＲＡＭ１４から読み込み、そのサイズに合わせたトリミング処理枠を表示し（ステップＳ１５０１）、入力された方向にトリミング処理枠を移動し（ステップＳ１５０５）、表示枠をトリミング処理範囲としてＲＡＭ１４に格納する（ステップＳ１５０８）。
【００４９】
図１３は、図９のステップＳ１００２で実行されるスタイラスによる範囲選択処理を示すフローチャートである。
【００５０】
図１３において、まず、スタイラス２３によってペンダウンされたポイントをＲＡＭ１４に格納し（ステップＳ１４０１）、ペンアップするまで（ステップＳ１４０３でＹＥＳ）画像の表示更新処理を行う（ステップＳ１４０２）。この処理の中でスタイラス２３によってペンダウンされたポイントから現在のスタイラス２３の位置までの矩形をトリミング処理枠とする。
【００５１】
次いで、スタイラス２３によってペンアップされると（ステップＳ１４０３）、トリミング処理枠と画像の表示を表示更新処理し（ステップＳ１４０４）、ペンダウンされたポイントからペンアップされたポイントまでトリミング処理範囲としてＲＡＭ１４上に記憶し（ステップＳ１４０５）、本処理を終了する。
【００５２】
図１３の処理によれば、スタイラスによる範囲選択処理を行うときは、トリミング処理範囲をスタイラス２３によってペンダウンされたポイントからペンアップされたポイントまでの矩形範囲としてＲＡＭ１４上に記憶する（ステップＳ１４０５）。
【００５３】
図１４は、図３のステップＳ５０４で実行されるトリミング結果プレビューのフローチャートである。
【００５４】
図１４において、トリミング処理範囲をＲＡＭ１４から読み出し（ステップＳ１６０１）、画像のトリミング処理を実行し、ＲＡＭ１４に表示すべき画像を展開しトリミング処理実行済みフラグをＯＮにし（ステップＳ１６０２）、トリミング処理を実行した画像を拡大して表示装置１７上に表示し（ステップＳ１６０３）、表示切替え処理を行って（ステップＳ１６０４）、本処理を終了する。
【００５５】
図１５の画面は、スタイラス２３によってトリミング処理を実行した画像を画面全体に拡大表示すると共に、トリミング処理範囲の画像の倍率を表示領域４１に表示し、トリミング処理範囲サイズを表示領域４２に表示する。画像を画面全体に拡大するときは、アスペクト比を変えずに表示し、余った部分は決められた背景色４３を使用する。また、図１６の画面は、ラインエディタに入力したサイズでトリミング処理を実行した画像を画面全体に拡大表示すると共に、トリミング処理範囲サイズを表示領域１２０１に表示する。
【００５６】
図１４の処理によれば、トリミング処理を実行した画像を拡大して表示装置１７上に表示する（ステップＳ１６０３）ので、トリミング処理実行後にトリミング処理を行った画像を確認することができる。
【００５７】
本発明は、上述した実施の形態の機能を実現するソフトウェアのプログラム（図３〜図５、図７、図９、図１２〜図１４のフローチャート）をコンピュータ又はＣＰＵに供給し、そのコンピュータ又はＣＰＵが該供給されたプログラムを読出して実行することによって、達成することができる。
【００５８】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００５９】
上記プログラムの形態は、オブジェクトコード、インタプリタにより実行されるプログラムコード、ＯＳ（オペレーティングシステム）に供給されるスクリプトデータ等の形態から成ってもよい。
【００６０】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００６１】
この場合、格納媒体から読出されたプログラムコード自体が上述した各実施の形態の機能を実現すると共に、そのプログラムコードを記憶した記憶媒体は本発明を構成する。
【００６２】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００６３】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【００６４】
【発明の効果】
以上詳細に説明したように、請求項１記載の画像処理装置、請求項７記載の画像処理方法、請求項８記載の画像処理プログラム、及び請求項９記載の記憶媒体によれば、指定されたトリミング処理範囲と表示装置に表示された画像の各サイズを表示装置に表示させるので、トリミング処理を行う前後の画像のサイズを容易に確認することができる。
【００６５】
請求項３記載の画像処理装置によれば、表示を切替えるので、使用する画面領域を容易に拡大化することができる。
【００６６】
請求項４記載の画像処理装置によれば、表示装置の画面上でトリミング処理範囲のサイズを指定するので、トリミング処理範囲のサイズをトリミング処理実行前に確認することができる。
【００６７】
請求項５記載の画像処理装置によれば、前記トリミング処理範囲のサイズを数値で指定するので、トリミング処理範囲のサイズを確実に決定することができる。
【００６８】
請求項６記載の画像処理装置によれば、トリミング処理された画像を表示装置の画面全体に表示するので、トリミング処理実行後にトリミング処理を行った画像を直ちに確認することができる。
【図面の簡単な説明】
【図１】本発明の実施の形態に係る画像処理装置の内部構成を示すブロック図である。
【図２】図１の画像処理装置１０の外観図である。
【図３】図１の画像処理装置によって実行されるトリミング処理を示すフローチャートである。
【図４】図３のステップＳ５０２で実行される表示切替え処理を示すフローチャートである。
【図５】図４のステップＳ６０２及びステップＳ６０７で実行される表示更新処理のフローチャートである。
【図６】図５のステップＳ７０８、ステップＳ７１０、及びステップＳ７１２で実行される表示更新処理を示す図である。
【図７】図４のステップＳ６０６で実行される設定変更処理を示すフローチャートである。
【図８】図７のステップＳ９０１で用いられる表示切替えテーブルである。
【図９】図３のステップＳ５０３で実行されるトリミング処理範囲選択処理を示すフローチャートである。
【図１０】図９のステップＳ１００３で表示されるトリミング処理範囲のサイズを入力するダイアログを示す図である。
【図１１】図９のステップＳ１００７で表示されるトリミング処理範囲サイズ、及びトリミング処理枠を示す図である。
【図１２】図９のステップＳ１００７で実行されるトリミング処理枠移動及び決定処理を示すフローチャートである。
【図１３】図９のステップＳ１００２で実行されるスタイラスによる範囲選択処理を示すフローチャートである。
【図１４】図３のステップＳ５０４で実行されるトリミング結果プレビューのフローチャートである。
【図１５】図１４のステップＳ１６０３で表示されるトリミング処理範囲の拡大表示を示す図である。
【図１６】図１４のステップＳ１６０３で表示されるトリミング処理範囲の拡大表示を示す図である。
【符号の説明】
１１  システムバス
１２  ＣＰＵ
１３  ＲＯＭ
１４  ＲＡＭ
１５  記憶装置
１６  入力装置
１７  表示装置
２２  カーソル
２３  スタイラス
２４  十字キー
２５  ＳＥＴキー
２６  表示切替キー
２７  サイズ指定キー
【図１】
2004163735.tif 000003
【図２】
2004163735.tif 000004
【図３】
2004163735.tif 000005
【図４】
2004163735.tif 000006
【図５】
2004163735.tif 000007
【図６】
2004163735.tif 000008
【図７】
2004163735.tif 000009
【図８】
2004163735.tif 000010
【図９】
2004163735.tif 000011
【図１０】
2004163735.tif 000012
【図１１】
2004163735.tif 000013
【図１２】
2004163735.tif 000014
【図１３】
2004163735.tif 000015
【図１４】
2004163735.tif 000016
【図１５】
2004163735.tif 000017
【図１６】
2004163735.tif 000018